(57)【特許請求の範囲】
【請求項１】
内容物を収納する充填空間を有し、口部において貼着された密封シートにて該充填空間を液密状態に保持する容器本体と、密封シートを内側に収めて容器本体の口部に固定保持されるオーバーキャップとを備え、
前記オーバーキャップの天面壁部に、内容物の注出口を形成する開口を設け、
前記開口に、先端側に位置する刃部とこの刃部に一体連結した操作レバーからなる、該刃部を密封シートに向けて振り下ろし可能にヒンジ連結した開封刃と、該開封刃を挟んで該密封シートと反対側に該開口を開閉する蓋体を配設し、
該蓋体は、該天面壁部に、該開封刃のヒンジ連結部よりも後端側に位置し該蓋体を回動可能に支持する支点を備えるとともに、該蓋体の支点よりも後端側に位置し該蓋体の引き起こし動作にて該操作レバーの後端に連係させて該刃部を振り下ろし、引き起こし動作が終了する該蓋体の行き止まり姿勢にて、該操作レバーの裏面に接触して刃部の振り降ろし姿勢を維持する押し上げ端を有することを特徴とする開封刃を有するオーバーキャップ付き容器。
【請求項２】
前記押し上げ端が、操作レバーの末端に連係する爪部からなり、該爪部は、操作レバーの裏面に線接触して刃部の振り降ろし姿勢を一定に維持する円弧摺動面を有する請求項１記載の開封刃を有するオーバーキャップ付き容器。
【請求項３】
前記蓋体は、引き起こし動作の行き止まり端にて、オーバーキャップの天面壁部の係止部に嵌合して該蓋体を固定する係合部を有する、請求項１又は２記載の開封刃を有するオーバーキャップ付き容器。
【発明の詳細な説明】
【技術分野】
【０００１】
本発明は、開封刃を有するオーバーキャップ付き容器に関するものであり、該容器の開封時における手指と内容物との接触、飛散を確実に回避し、操作性を向上させることを目的とするものである。
【背景技術】
【０００２】
コーヒーや紅茶等の飲料は、近年、内容物の味や風味を良好に維持するために無菌充填システムが採用されてきており、それに用いる容器としては、その本体部分をコップ状とし、その口部にフィルム状の密封シートを貼り付けるとともに、さらに該密封シートを保護するためにその外側にオーバーキャップを装着したものが一般的な構成になっている。
【０００３】
この種の容器は、容器の胴体にストローが備えつけられていて、該ストローを、オーバーキャップに形成されている孔から差し入れ、その先端部で密封シートを突き破ることで容器内の内容物を吸引するようにしている。
【０００４】
また、最近では、ウオーマーにより内容物が加温されるようになってきていることからストローの使用が困難で、オーバーキャップの押し下げ片を利用して密封シートをワンタッチで切り開き、該オーバーキャップに形成された飲み口から直接、内容物を飲むタイプの容器も提案されている（例えば、特許文献１参照）。
【０００５】
ところで、密封シートをワンタッチで切り開くタイプの容器は、押し下げ片を操作する際の力加減によっては内容物が飛び散ることがあること、また、指先の触れた押し下げ片が内容物に漬かってしまうことに加え、勢いあまって指先が内容物に触れてしまうことがあり衛生面においても好ましいものとは言えず、その解決が求められていた。
【特許文献１】特開2004−359314号公報
【発明の開示】
【発明が解決しようとする課題】
【０００６】
本発明の課題は、内容物の飛び散りをなくし、衛生的に開封できる新規な開封刃を有するオーバーキャップ付きの容器を提案するところにある。
【課題を解決するための手段】
【０００７】
本発明は、内容物を収納する充填空間を有し、口部において貼着された密封シートにて該充填空間を液密状態に保持する容器本体と、密封シートを内側に収めて容器本体の口部に固定保持されるオーバーキャップとを備え、
前記オーバーキャップの天面壁部に、内容物の注出口を形成する開口を設け、
前記開口に、先端側に位置する刃部とこの刃部に一体連結した操作レバーからなる、該刃部を密封シートに向けて振り下ろし可能にヒンジ連結した開封刃と、該開封刃を挟んで該密封シートと反対側に該開口を開閉する蓋体を配設し、
該蓋体は、該天面壁部に、該開封刃のヒンジ連結部よりも後端側に位置し該蓋体を回動可能に支持する支点を備えるとともに、該蓋体の支点よりも後端側に位置し該蓋体の引き起こし動作にて該操作レバーの後端に連係させて該刃部を振り下ろし、引き起こし動作が終了する該蓋体の行き止まり姿勢にて、該操作レバーの裏面に接触して刃部の振り降ろし姿勢を維持する押し上げ端を有することを特徴とする開封刃を有するオーバーキャップ付き容器である。
【０００８】
上記の構成になる容器において、前記押し上げ端は、操作レバーの末端に連係する爪部からなり、該爪部には、操作レバーの裏面に線接触して刃部の振り下ろし姿勢を一定に維持する円弧摺動面を設けるのが好ましい。
【０００９】
また、前記蓋体は、引き起こし動作の行き止まり端にて、オーバーキャップの天面壁部の係止部に嵌合して該蓋体を固定する係合部を設けることができる。
【発明の効果】
【００１０】
内容物の注出口となる開口を開けるべく、蓋体を引き起こすと、開封刃の操作レバーの末端が蓋体の押し上げ端と連係しヒンジ連結した部分を支点にして刃部が密封シートへ向けて振り下ろされる。刃部による密封シートの押し切りは蓋体の引き起こし速度に依存するため、該蓋体の緩慢な操作でもって徐々に開封されることとなり、内容物が飛散することはない。
【００１１】
また、刃部の振り下ろしは、操作レバーにより間接的に行うことができるので、指先が触れることはなく衛生的な開封が可能となるだけでなく、てこの原理により小さな力で開封することができる。
【発明を実施するための最良の形態】
【００１２】
以下、図面を用いて本発明をより具体的に説明する。
図１は本発明に従うオーバーキャップ付き容器の実施の形態を示した図であり、図２はその外観斜視図である。
【００１３】
図における１はコップ状の容器本体である。この容器本体１は内容物を収納する充填空間ｍを有し、その口部1aのフランジｆに密封シート２が貼着されていて、この密封シート２によって充填空間ｍを液密状態に保持する。
【００１４】
また、３は密封シート２を内側に収めて容器本体１の口部1aに着脱自在に固定保持されるオーバーキャップである。このオーバーキャップ３は密封シート２に距離を隔てて対面する天面壁部3aと、この天面壁部3aの縁部に一体連結するとともに密封シート２を囲撓する周壁3bからなり、天面壁部3aには区画凹所3a１が設けられている。
【００１５】
また、４は天面壁部3aの区画凹所3a１に設けられた開口であり、この開口４と周壁3bの一部分とで内容物を注出する飲み口を形成する。
【００１６】
５は開口４を塞ぐように配置された開封刃である。この開封刃５は密封シート２を押し切る刃部5aと、この刃部5aに一体連結した操作レバー5bからなっており、図２に示すように区画凹所3a１にヒンジｈを介して連結保持されている。
【００１７】
６は天面壁部3aにおいて枢支軸Ｐを介して回動可能でかつ、抜け出し不能に支持された蓋体である。この蓋体６は開口４を開閉するもので、枢支軸Ｐは、区画凹所3a１の側周壁に形成された係止溝に挿入されており、該係止溝は、挿入端を狭く形成することにより枢支軸Ｐの抜け出しを防止している。蓋体６の先端部には周壁3bに係留される係止片6aが設けられており、その後端部には操作レバー5bの裏面に線接触する円弧摺動面ｎを有し、開口４を開放する引き起こし動作でもって操作レバー5bの末端に連係させて刃部5aを密封シート２に向けて振り下ろす爪部6bが設けられている。
【００１８】
さらに、７は蓋体６の天面に一体成形された例で示した係合部（凸部）、８は区画凹所3a１に設けられ該凸部７と嵌合する係止部（凹部）である。該凸部７は蓋体６を引き起こし、その行き止まり端（蓋体が区画凹所3a１の底壁に突き当たったところ）にて凹部８に嵌合するもので、これにより蓋体６をオーバーキャップ３に固定する。
【００１９】
容器の開封前は、図１に示すように、開封刃５は蓋体６の裏面に平行配置された状態にある。
【００２０】
容器を開封すべく、蓋体６を引き起こすと、蓋体６の爪部6bは図３に示す如く、開封刃５の操作レバー5bの末端に連係してヒンジｈを支点に該末端を上方に向かせるように押し上げることとなり、これにより刃部5aが密封シート２に向けて振り下ろされ、
該密封シート２を押し切ることとなる。
【００２１】
蓋体６の引き起こしの際、爪部6bの円弧摺動面ｎは操作レバー5bの裏面に線状に接触して摺動するが、該円弧摺動面ｎ（後述する押し上げ端６′）は蓋体６の回動中心（枢支軸）からの寸法（半径）が全て同じになるため、密封シート２を押し切ったのちは、振り下ろしに係る姿勢が一定に保たれることになる。
【００２２】
図４(a)（b）は本発明に従う開封刃を有するオーバーキャップ付き容器の他の実施の形態を示したものであり、図５はその外観斜視図を示したものである。
【００２３】
この例は、蓋体６を、天面壁部3aにヒンジｈ１を介して回動可能に一体連結し、その後端を、刃部5aを密封シート２に向けて振り下ろす押し上げ端６′（爪部6bを省略）として構成したものである。
【００２４】
かかる構成の容器は、蓋体６及び開封刃５を、オーバーキャップ３と一体的に成形することができるものであって、部材の組み立て作業が不要であり、容器の効率的な製造が可能となる。
【００２５】
本発明に従うオーバーキャップ付きの容器は、基本的には、刃部5aに触れることなしに容器を開封することができるものであり、開封に際して内容物が指先に触れることがない。
【００２６】
また、刃部5aは操作レバー5bを介して振り下ろすので、力の加減を調整することが可能であり、勢いあまって内容物が飛び散ることがないだけでなく、てこの原理により小さな力で開封することが可能となる。
【産業上の利用可能性】
【００２７】
開封刃を使って容器を開封する際に生じていた内容物の飛び散りがなく、内容物に触れることのない衛生的にも好ましいオーバーキャップ付きの容器が提供できる。
【図面の簡単な説明】
【００２８】
【図１】本発明に従うオーバーキャップ付き容器の実施の形態を示した図である。
【図２】図１に示した容器の外観斜視図である。
【図３】図１に示した容器の開封要領の説明図である。
【図４】(a)（b）は本発明に従うオーバーキャップ付き容器の他の実施の形態を示した図である。
【図５】図４に示した容器の外観斜視図である。
【符号の説明】
【００２９】
１  容器本体
1a  口部
２  密封シート
３  オーバーキャップ
3a  天面壁部
3a１  区画凹所
3b  周壁
４  開口
５  開封刃
5a  刃部
5b  操作レバー
６  蓋体
６′押し上げ端
７  係合部（凸部）
８  係止部（凹部）
ｍ  充填空間
ｆ  フランジ
Ｐ  枢支軸
ｈ  ヒンジ
ｈ１  ヒンジ
【図１】
0004764217.tif 000002
【図２】
0004764217.tif 000003
【図３】
0004764217.tif 000004
【図４】
0004764217.tif 000005
【図５】
0004764217.tif 000006